(57)【要約】【課題】原稿の画像に、ネットワーク上における情報の所在を示すＵＲＩを、該情報にアクセス容易な形態で付加して送信することができる画像データ送信装置を提供する。【解決手段】画像データをファクシミリ通信にて送信する画像データ送信装置に、ネットワーク上における情報の所在を示すＵＲＩを受け付ける操作部９と、操作部９で受け付けたＵＲＩを含む情報をバーコード画像に変換し、変換したバーコード画像を送信対象の画像に付加した画像データを生成する制御部１とを備え、生成された画像データをファクシミリ通信にて送信するように構成する。【選択図】図１
2007235750.tif 000002
【特許請求の範囲】
【請求項１】
画像データをファクシミリ通信にて送信する画像データ送信装置において、
ＵＲＩを受け付ける受付手段と、
該受付手段が受け付けたＵＲＩを含む情報をバーコード画像に変換する変換手段と、
該変換手段が変換したバーコード画像を送信対象の画像に付加した画像データを生成する生成手段と、
該生成手段が生成した画像データを送信する手段と
を備えることを特徴とする画像データ送信装置。
【請求項２】
画像データの送信先を示す送信先情報を受け付けるようにしており、
前記変換手段は、
受け付けた送信先情報及びＵＲＩを含む情報をバーコード画像に変換する手段を備える
ことを特徴とする請求項１に記載の画像データ送信装置。
【発明の詳細な説明】
【技術分野】
【０００１】
本発明は、画像データをファクシミリ通信にて送信する画像データ送信装置に関する。
【背景技術】
【０００２】
ファクシミリ装置は、原稿を読み取って画像データを取得するスキャナ部を備えており、該スキャナ部で取得した画像データを符号化してファクシミリ送信する。
【０００３】
一方、ファクシミリ装置の使用者は、送信枚数を減少させるべく、主要な情報のみを文書で記載し、他の情報をＵＲＩ(Uniform Resource Identifier)で表示した原稿を送信することがある。ＵＲＩは、インターネット上における各種情報の所在を示すものである。
例えば、セミナーの案内を送信する場合、セミナー開催日時、会場の場所、目的等を文書で記載し、会場周辺の地図情報をＵＲＩに代えて表示した原稿をファクシミリ送信する。
画像の受信者は、主要な情報を文書で取得することができ、必要に応じてＵＲＩで示された地図情報をインターネットを介して取得することができる。
同様に、携帯端末へ送信する情報をＵＲＩに代えて提供する情報提供システムが実現されている（例えば、特許文献１）。
【特許文献１】特開２００４−１４０８２３号公報
【特許文献２】特開２００３−１３１９８２号公報
【発明の開示】
【発明が解決しようとする課題】
【０００４】
しかしながら、従来のファクシミリ装置においては、受信者がＵＲＩで示された情報を取得するためには、ＵＲＩをパーソナルコンピュータのような通信機器に手入力して情報にアクセスする必要があり、情報取得に手間を要するという問題があった。
【０００５】
本発明は、斯かる事情に鑑みてなされたものであり、ＵＲＩを含む情報をバーコード画像、例えばＱＲコード画像（２次元バーコード画像）に変換し、該バーコード画像を送信対象の画像に付加して送信するように構成することにより、受信者がＵＲＩを手入力することなく、バーコード読取機能を有する通信機器でＵＲＩを読み取り、該ＵＲＩで示された情報を取得することを可能にする画像データを送信することができる画像データ送信装置を提供することを目的とする。
【０００６】
本発明の他の目的は、画像データの送信先を示す送信先情報、例えばファクシミリ番号、及びＵＲＩを含む情報をバーコード画像に変換する手段を備えることにより、受信者が送信先情報を手入力することなく、バーコード読取機能を有する通信機器に該送信先情報を与えることを可能にする画像データを送信することができる画像データ送信装置を提供することにある。
【課題を解決するための手段】
【０００７】
本発明に係る画像データ送信装置は、画像データをファクシミリ通信にて送信する画像データ送信装置において、ＵＲＩを受け付ける受付手段と、該受付手段が受け付けたＵＲＩを含む情報をバーコード画像に変換する変換手段と、該変換手段が変換したバーコード画像を送信対象の画像に付加した画像データを生成する生成手段と、該生成手段が生成した画像データを送信する手段とを備えることを特徴とする。
【０００８】
本発明にあっては、受付手段が受け付けたＵＲＩを含む情報は、変換手段によってバーコード画像、例えば２次元バーコード画像に変換される。
生成手段は、送信対象の画像に変換手段が変換したバーコード画像を付加した画像の画像データを生成する。そして、画像データ送信装置は、生成された画像データをファクシミリ通信にて送信する。
従って、前記画像データを受信した送信先の外部機器では、ＵＲＩがバーコード画像で表示された画像が形成される。
【０００９】
本発明に係る画像データ送信装置は、画像データの送信先を示す送信先情報を受け付けるようにしており、前記変換手段は、受け付けた送信先情報及びＵＲＩを含む情報をバーコード画像に変換する手段を備えることを特徴とする。
【００１０】
本発明にあっては、画像データの送信先を示す送信先情報、例えばファクシミリ番号を受け付け、変換手段は、送信先情報及びＵＲＩを含む情報をバーコード画像に変換する。
従って、前記画像データを受信した送信先の外部機器では、ＵＲＩ及び送信先情報がバーコード画像で表示された画像が形成される。
【発明の効果】
【００１１】
本発明によれば、画像の受信者は、受信した画像に表示されたバーコード画像が含むＵＲＩを、バーコード読取機能を有する通信機器に読み取らせ、ＵＲＩが示すネットワーク上の情報を取得させることができるため、ＵＲＩを通信機器に手入力することなく、前記情報を取得することができる。
【００１２】
本発明によれば、受信者が送信先情報を手入力することなく、バーコード読取機能を有する通信機器に該送信先情報を与えることができる。
【発明を実施するための最良の形態】
【００１３】
以下、本発明をその実施の形態を示す図面に基づいて詳述する。
図１は、本発明の実施の形態に係る複合機の構成を示すブロック図である。実施の形態に係る複合機は、ファクシミリ機能、ネットワーク上における情報の所在を示すＵＲＩをＱＲコード画像１９（図３参照）に変換するＱＲコード変換機能、スキャナ機能、コピー機能等を有している。
【００１４】
図中１は、ＣＰＵを備えた制御部である。複合機は、原稿１７（図３参照）を読み取り、原稿１７の画像データを取得する読取部３、取得した画像データを一時的に蓄積する画像メモリ６、及び画像メモリ６に蓄積された画像データに基づいて、画像を用紙に形成、つまり印刷するプリンタ部５を備えている。
【００１５】
また、複合機は、ファクシミリ通信にて画像データを送受信するためのＮＣＵ(Network Control Unit)２及びモデム４、並びに送受信される画像データを所定の符号化方式、例えばＭＨ，ＭＲ，ＭＭＲ等の符号化方式に従って符号化及び復号化する符号化・復号化部１１を備えており、制御部１は、バス１３を介して原稿１７の読み取り、画像データの送受信、画像の印刷を制御することで、ファクシミリ機能を実現する。
【００１６】
バス１３には、ＲＯＭ１０及びＲＡＭ８が接続されている。ＲＯＭ１０は、フラッシュメモリからなり、複合機の動作に必要な各種制御プログラムを格納している。制御部１は、ＲＯＭ１０に格納されている制御プログラムをＲＡＭ８に読み出して実行することにより、ファクシミリ機能、ＱＲコード変換機能、スキャナ機能、コピー機能等の各種機能を実現する。
【００１７】
読取部３は、原稿１７に光を照射する光源、原稿１７で反射された反射光を電気信号に変換するラインＣＣＤ等の光学素子を備えており、ラインＣＣＤが変換した電気信号に基づいて原稿１７の画像データを取得する。そして、読取部３は、取得した画像データを画像メモリ６に与える。
【００１８】
符号化・復号化部１１は、制御部１の制御に応じて、読取部３が読み取った画像データを符号化して、符号化した画像データをモデム４に与える。また、符号化・復号化部１１は、ファクシミリ通信によって受信した画像データを復号化して、画像メモリ６に蓄える。
【００１９】
モデム４は、バス１３に接続されており、符号化されて画像メモリ６に蓄えられた画像データをアナログの信号に変調する機能、公衆電話回線網(PSTN：Public Switched Telephone Network)から入力されたアナログの画像データをデジタルの画像データに復調する機能を備えている。
【００２０】
ＮＣＵ２は、公衆電話回線網との回線１４の閉結及び開放の動作を行うハードウェアであり、制御部１の制御に応じてモデム４とＰＳＴＮとを接続する。そして、ＮＣＵ及びＰＳＴＮは、変調された画像データのファクシミリ通信による送受信を実行する。
【００２１】
プリンタ部５は、感光ドラム、定着器等を備える電子写真方式のプリンタ装置であって、印刷処理用のプログラムを格納した図示しないフラッシュＲＯＭを備えており、フラッシュＲＯＭに格納されたプログラムに従って、復号化された画像データに係る画像を用紙に印刷する。
【００２２】
更に、複合機は、ＬＡＮ１５を介してパーソナルコンピュータのような外部機器１６と接続するためのＬＡＮインタフェース１２を備えている。
【００２３】
また、バス１３には、複合機を操作するための表示部７及び操作部９が接続されている。
表示部７は、複合機の動作状態、複合機を操作するためのソフトキーを表示する液晶ディスプレイを備えている。
操作部９は、表示部７に対向配置された抵抗膜方式、又は静電容量方式のタッチパネルを備え、表示部７に表示されたソフトキーの操作を受け付け、制御部１がタッチパネルの操作状態を検出することができるように構成されている。
また、操作部９は、ファクシミリ番号、印刷部数等を受け付けるためのテンキー、スタートキー、リセットキー、機能選択キー等を備えている。
【００２４】
図２は、画像データの送信に係る制御部１の処理手順を示すフローチャート、図３は、送信対象の原稿１７及び送信される画像データに係る画像１８を示す模式図である。
ファクシミリ機能が選択されて、スタートキーが操作された場合、制御部１は、プリンタ部５に原稿１７を読み取らせることで画像データを取得する（ステップＳ１１）。例えば、制御部１は、図３（ａ）に示すような原稿１７を読み取って原稿１７に係る画像データを取得する。
【００２５】
そして、制御部１は、操作部９の操作状態を検出することで、送信先のファクシミリ番号を受け付ける（ステップＳ１２）。
【００２６】
次いで、制御部１は、操作部９の操作状態を検出することで、ネットワーク上における情報の所在を示すＵＲＩを受け付ける（ステップＳ１３）。例えば、表示部７にアルファベット及び記号入力用のソフトキーを表示し、タッチパネルの操作状態を検出することで、ＵＲＩの入力を受け付ける。
【００２７】
また、制御部１は、ステップＳ１３同様、操作部９の操作状態を検出することで、ＵＲＩの表題を受け付ける（ステップＳ１４）。
【００２８】
次いで、制御部１は、ステップＳ１２及びステップＳ１３で受け付けたＵＲＩ及びファクシミリ番号を含む情報を符号化して２次元バーコード画像、即ちＱＲコード画像１９に変換する（ステップＳ１５）。
ＱＲコード画像１９は、図３（ｂ）に示すように、略正方形の３つの頂点夫々に配された矩形のファインダパターンと、その内側、縦横に配列した白黒のセルとから構成されている。
【００２９】
そして、制御部１は、操作部９の操作状態を検出することで、原稿１７の画像に対してＱＲコード画像１９を付加する位置を受け付け（ステップＳ１６）、受付内容に応じて、原稿１７の画像にＱＲコード画像１９及び表題を示す表題画像２０を付加した画像１８に係る画像データを生成する（ステップＳ１７）。
具体的には、制御部１は、図３（ｂ）に示すように、原稿１７の画像の一部にＱＲコード画像１９及び表題画像２０が付加された画像１８に係る画像データを生成する。
【００３０】
次いで、制御部１は、符号化・復号化部１１に、ステップＳ１７で生成した画像データを所定の符号化方式にて符号化させる（ステップＳ１８）。そして、制御部１は、送信先のファクシミリ番号を発呼して、ステップＳ１８で符号化した画像データを該送信先へ送信し（ステップＳ１９）、画像データの送信に係る処理を終える。
【００３１】
このように構成された複合機にあっては、ＵＲＩがＱＲコード画像１９に変換されて原稿１７の画像に付加される。そして、ＱＲコード画像１９が付加された画像１８の画像データが符号化されて、送信される。
送信された画像を受信した受信者は、ＱＲコード画像１９を、バーコード読取機能を有する通信機器に読み取らせ、ＱＲコード画像１９に係るＵＲＩが示す情報を取得させることができる。従って、受信者は、ＵＲＩを通信機器に手入力することなく、前記情報を取得することができる。
【００３２】
また、ＵＲＩを、携帯電話のように広く普及した通信機器にて読み取り可能なＱＲコード画像１９に変換するように構成してあるため、受信者は、容易にＱＲコード画像１９に係るＵＲＩが示す情報を取得することができる。
【００３３】
更に、ＱＲコード画像１９を付加する位置を受け付けるように構成しているため、使用者の所望位置にＱＲコード画像１９を付加することができ、原稿１７に表示された文字情報の上にＱＲコード画像１９が付加されて、文字情報が失われることを防ぐことができる。
【００３４】
更にまた、ＵＲＩの表題を受け付け、表題画像２０をＱＲコード画像１９と共に付加するように構成することにより、ＱＲコード画像１９にて取得することができる情報の内容を表示することができる。
【００３５】
更にまた、受信者は、ファクシミリ番号を入力することなく、バーコード読取機能を有する通信機器に該ファクシミリ番号を与えることができる。
この場合、通信機器にファクシミリ番号を入力することなく、ファクシミリ番号をＨＴＴＰサーバへ送信することができる。
ＨＴＴＰサーバ側は、ファクシミリ番号にて送信元を特定することができ、送信元のユーザに応じた情報、サービス等を提供することを可能にする。
【００３６】
なお、実施の形態にあっては、ＵＲＩをＱＲコード画像に変換するように構成してあるが、１次元バーコード、その他の符号化画像に変換するように構成しても良い。
【００３７】
また、読取部で読み取って得られた画像データを送信対象とした場合を説明したが、送信対象の画像データはこれに限定されない。例えば、ＬＡＮを介してパーソナルコンピュータから取得した画像データを送信対象とし、該画像にＵＲＩのＱＲコード画像を付加した画像データを送信するように構成しても良い。
【００３８】
更にまた、ＵＲＩを操作部にて受け付けるように構成しているが、ＬＡＮインタフェースを介して接続されたパーソナルコンピュータにてＵＲＩを受け付けるように構成しても良い。
【図面の簡単な説明】
【００３９】
【図１】本発明の実施の形態に係る複合機の構成を示すブロック図である。
【図２】画像データの送信に係る制御部の処理手順を示すフローチャートである。
【図３】送信対象の原稿及び送信される画像データに係る画像を示す模式図である。
【符号の説明】
【００４０】
１  制御部
２  ＮＣＵ
３  読取部
４  モデム
５  プリンタ部
６  画像メモリ
７  表示部
８  ＲＡＭ
９  操作部
１０  ＲＯＭ
１１  符号化・復号化部
１２  ＬＡＮインタフェース
１３  バス
１５  ＬＡＮ
１６  外部機器
１７  原稿
１９  ＱＲコード画像
２０  表題画像
【図１】
2007235750.tif 000003
【図２】
2007235750.tif 000004
【図３】
2007235750.tif 000005